(57)【要約】【課題】  単なるマッサージ効果を超えて、被処理部位に対する引き締め効果が効果的に得られる吸引ノズル及び人体引き締め装置を提供することを目的とする。【解決手段】  室内に旋回流を形成するように設けられた入水部と、前記旋回流を吐水し負圧部が形成されるように設けられた吐水口と、を有する旋回室を有する吸引ノズルと、前記吸引ノズルに水を供給する送水手段と、前記送水手段と前記吸引ノズルとを接続する導水路と、備え、前記負圧部を人体の被処理部位に作用させた時の吸引圧力が８０００パスカル以上であることを特徴とする人体引き締め装置を提供する。【選択図】  図１
2005087425.tif 000002
【特許請求の範囲】
【請求項１】
室内に旋回流を形成するように設けられた入水部と、前記旋回流を吐水し負圧部が形成されるように設けられた吐水口と、を有する旋回室を有する吸引ノズルであって、
前記入水部から前記旋回室に水を導入することにより形成した前記負圧部を人体の被処理部位に作用させた時の吸引圧力が８０００パスカル以上であることを特徴とする吸引ノズル。
【請求項２】
前記負圧部を人体の被処理部位に作用させた時の吸引圧力が４５０００パスカル以下であることを特徴とする請求項１記載の吸引ノズル。
【請求項３】
前記吐水口の口径は、２５ｍｍφ以上であることを特徴とする請求項１または２に記載の吸引ノズル。
【請求項４】
前記吐水口の口径は、５０ｍｍφ以下であることを特徴とする請求項１〜３のいずれか１つに記載の吸引ノズル。
【請求項５】
前記吸引ノズルは、前記吐水口を取り囲み且つ前記吐水口よりも突出したガイド部をさらに有し、前記ガイド部の内径は、前記吐水口の口径よりも大なることを特徴とする請求項１〜４のいずれか１つに記載の吸引ノズル。
【請求項６】
前記入水部は、前記旋回室への入水方向に対向する方向から見たときに、前記旋回流の旋回軸に対して垂直な方向の幅よりも前記旋回軸に対して平行な方向の幅の方が大なることを特徴とする請求項１〜５のいずれか１つに記載の吸引ノズル。
【請求項７】
前記旋回室への入水方向に対して垂直且つ前記旋回流の旋回軸に対して垂直な方向に沿った前記入水部の幅よりも、前記旋回室に対する入水方向に対して垂直且つ前記旋回流の旋回軸に対して平行な方向に沿った前記入水部の幅の方が大なることを特徴とする請求項１〜５のいずれか１つに記載の吸引ノズル。
【請求項８】
前記旋回室は、略円筒状の周壁を有し、
前記入水部から前記略円筒状の前記周壁の接線方向に水が入水されることを特徴とする請求項１〜７のいずれか１つに記載の吸引ノズル。
【請求項９】
室内に旋回流を形成するように設けられた入水部と、前記旋回流を吐水し負圧部が形成されるように設けられた吐水口と、を有する旋回室を有する吸引ノズルと、
前記吸引ノズルに水を供給する送水手段と、
前記送水手段と前記吸引ノズルとを接続する導水路と、
を備え、
前記負圧部を人体の被処理部位に作用させた時の吸引圧力が８０００パスカル以上であることを特徴とする人体引き締め装置。
【請求項１０】
前記負圧部を人体の被処理部位に作用させた時の吸引圧力が４５０００パスカル以下であることを特徴とする請求項９記載の人体引き締め装置。
【請求項１１】
前記吐水口の口径は、２５ｍｍφ以上であることを特徴とする請求項９または１０に記載の人体引き締め装置。
【請求項１２】
前記吐水口の口径は、５０ｍｍφ以下であることを特徴とする請求項９〜１１のいずれか１つに記載の人体引き締め装置。
【請求項１３】
前記吸引ノズルは、前記吐水口を取り囲み且つ前記吐水口よりも突出したガイド部をさらに有し、前記ガイド部の内径は、前記吐水口の口径よりも大なることを特徴とする請求項９〜１２のいずれか１つに記載の人体引き締め装置。
【請求項１４】
前記入水部は、前記旋回室への入水方向に対向する方向から見たときに、前記旋回流の旋回軸に対して垂直な方向の幅よりも前記旋回軸に対して平行な方向の幅の方が大なることを特徴とする請求項９〜１３のいずれか１つに記載の人体引き締め装置。
【請求項１５】
前記旋回室への入水方向に対して垂直且つ前記旋回流の旋回軸に対して垂直な方向に沿った前記入水部の幅よりも、前記旋回室に対する入水方向に対して垂直且つ前記旋回流の旋回軸に対して平行な方向に沿った前記入水部の幅の方が大なることを特徴とする請求項９〜１３のいずれか１つに記載の人体引き締め装置。
【請求項１６】
前記旋回室は、略円筒状の周壁を有し、
前記入水部から前記略円筒状の前記周壁の接線方向に水が入水されることを特徴とする請求項９〜１５のいずれか１つに記載の人体引き締め装置。
【発明の詳細な説明】
【技術分野】
【０００１】
本発明は、吸引ノズル及び人体引き締め装置に関し、特に、水の圧力を利用して旋回水流を形成し、その中心部に形成される負圧部を利用して身体に吸引圧を作用させることにより顕著な引き締め効果が得られる吸引ノズル及び人体引き締め装置に関する。
【背景技術】
【０００２】
美容や健康増進を目的として身体の皮膚表面をマッサージし、血液の循環を活性化するマッサージ器は、広く用いられている。このような従来のマッサージ器としては、例えば電動式の肩たたき器や腰もみ器、減圧状態にした吸入孔を身体表面に吸着させて使う器具など等が知られている。
【０００３】
しかしながら、このような従来のマッサージ器は単に揉むだけ、または吸引するだけのもので、十分に高い生体効果まで得られるものではなく、使い勝手と、優れた生体効果とを兼ね備えて実現したものはこれまでになかった。
【０００４】
水を用いたマッサージ装置として、ノズル内部の周壁に沿って加圧液体を接線方向に流入させ、且つ外気を導入して気泡を生じさせるとともに、吐水口近傍で吸引することができる「吸引マッサージ気泡噴流装置」が考案されている（例えば、特許文献１参照）。この考案では、吐水口近傍に複数個の突起を設けており、ノズルの身体への押し圧の変化によって吐水流の強弱を変化させ、吸引力を変化させることができる。
【０００５】
また、一端を閉じ、他端を開放状とした円筒体内にその内周接線方向に加圧液体を導入する開口と、上記閉塞端に円筒体の中心位置で外気を導入する開口とを設け、さらに、円筒体の外側に案内筒を設けて吐水口近傍で吸引することができる「マッサージ器」が考案されている（例えば、特許文献２参照）。この発明では、案内筒を身体に密着させて用いることで吸引部と押圧部を形成し、吸引部で皮膚を吸引し、押圧部で微小な気泡を身体にあてることができる。
【０００６】
一方、特許文献３には、気液噴出孔から拡開するガイド部が設けられた吸引洗浄器が開示されている。気泡を混入させた液体は、気液噴出孔から噴出しガイド部の内壁面に沿って旋回しながら人体の肌面に衝突し、肌面を広い範囲で吸引させる。
【特許文献１】実開昭６３−７４１２３号公報
【特許文献２】実開平４−５５３３７号公報
【特許文献３】特開２００３−３８３８２号公報
【発明の開示】
【発明が解決しようとする課題】
【０００７】
しかし、これら従来の装置は、いずれもマッサージ効果あるいは洗浄効果を得るためのものであり、小さな吐水口から旋回流を吐出させ、さらに吐水中に気泡を混合させることにより、気泡流を形成している。この場合、吐水口径が小さいため、仮に吸引圧力が高くても人体の被処理部位が吐水口内部には入りにくい。
【０００８】
人体に吸引力を作用させて、単なるマッサージ効果を超えた高い生体効果を得るためには、被処理部位に所定量以上の変形を与えることが必要である。本発明者の独自の検討によれば、後に詳述するように、老廃物と脂肪の塊である「セルライト」を改質させたり、脚部などの「むくみ」を解消したり、脚部あるいは臀部などの局所脂肪を燃焼させたり、体型を引き締めるなど、高い引き締め効果を得るためには、人体の表面層に所定の吸引力を作用させ、所定の変位を与えることが重要であることが分かった。
【０００９】
本発明はかかる課題の認識に基づいてなされたものであり、その目的は、単なるマッサージ効果を超えて、被処理部位に対する引き締め効果が効果的に得られる吸引ノズル及び人体引き締め装置を提供することにある。
【課題を解決するための手段】
【００１０】
上記目的を達成するため、本発明の吸引ノズルは、室内に旋回流を形成するように設けられた入水部と、前記旋回流を吐水し負圧部が形成されるように設けられた吐水口と、を有する旋回室を有する吸引ノズルであって、
前記入水部から前記旋回室に水を導入することにより形成した前記負圧部を人体の被処理部位に作用させた時の吸引圧力が８０００パスカル以上であることを特徴とする。
【００１１】
上記構成によれば、８０００パスカルを超える吸引圧力を発生させることにより、人体の被処理部位を１０ｍｍ以上変位させ、皮下組織の血液とリンパの循環を促進させるとともに、皮下脂肪やセルライトなどを効果的に伸張させて新陳代謝を促進することができる。その結果として、従来は得られなかった顕著な引き締め効果が得られる。
【００１２】
また、本発明の人体引き締め装置は、室内に旋回流を形成するように設けられた入水部と、前記旋回流を吐水し負圧部が形成されるように設けられた吐水口と、を有する旋回室を有する吸引ノズルと、前記吸引ノズルに水を供給する送水手段と、前記送水手段と前記吸引ノズルとを接続する導水路と、備え、前記負圧部を人体の被処理部位に作用させた時の吸引圧力が８０００パスカル以上であることを特徴とする。
【００１３】
上記構成によれば、８０００パスカルを超える吸引圧力を発生させることにより、人体の被処理部位を１０ｍｍ以上変位させ、皮下組織の血液とリンパの循環を促進させるとともに、皮下脂肪やセルライトなどを効果的に伸張させて新陳代謝を促進することができる。その結果として、従来は得られなかった顕著な引き締め効果が得られる。
【００１４】
またここで、前記負圧部を人体の被処理部位に作用させた時の吸引圧力が４５０００パスカル以下であるものとすることができる。実用的な吸引ノズルの構造パラメータを前提とした時、吸引圧力が４５０００パスカルを超えると、多くの被験者が痛感を感じた。痛覚が刺激されると、皮膚や皮下脂肪に張り巡らされた末梢血管が収縮し血液やリンパの循環が阻害されるため、効果が低減すると推測される。そこで、吸引圧力を４５０００パスカル以下に抑えることにより、痛覚が刺激されることなく顕著な人体引き締め効果が得られる。
【００１５】
また、前記吐水口の口径は、２５ｍｍφ以上であるものとすることができる。すなわち、吐水口の口径が２５ｍｍφを下回ると、被処理部位がその内部に十分に引き込まれにくくなる。従って、２５ｍｍφ以上とすることが望ましい。
【００１６】
一方、前記吐水口の口径は、５０ｍｍφ以下であるものとすることができる。すなわち、吐水口７の口径が５０ｍｍφを超えると、痛感が生ずる場合がある。そこで、吐水口７の口径は、５０ｍｍφ以下とすることが望ましい。
【００１７】
また、前記吸引ノズルは、前記吐水口を取り囲み且つ前記吐水口よりも突出したガイド部をさらに有し、前記ガイド部の内径は、前記吐水口の口径よりも大なるものとすることができる。吐水口からの旋回流の円滑な吐出を維持し、また、被処理部位が吸引され引き込まれるために、ガイド部の内径は吐水口の口径よりも大なるものとすることが望ましい。
【００１８】
また、前記入水部は、前記旋回室への入水方向に対向する方向から見たときに、前記旋回流の旋回軸に対して垂直な方向の幅よりも前記旋回軸に対して平行な方向の幅の方が大なるものとすることができる。入水部を旋回軸の方向に沿って縦長に形成することにより、旋回室に流入する水流を旋回室の内周壁に接近させることができるので、旋回モーメントが増加し、旋回流を十分に発達させることができる。従って、同一の投入パワーまたは同一の流量においても、８０００パスカルを超える強い旋回流が得られ、吸引力が増大する。そして、効率良く吸引力を発生させることができるので、給水ポンプを小型化でき、初期コスト、ランニングコストを低下させ、省スペースも実現できる。
【００１９】
または、前記旋回室への入水方向に対して垂直且つ前記旋回流の旋回軸に対して垂直な方向に沿った前記入水部の幅よりも、前記旋回室に対する入水方向に対して垂直且つ前記旋回流の旋回軸に対して平行な方向に沿った前記入水部の幅の方が大なるものとすることができる。
【００２０】
上記構成によっても、同様に入水部を旋回軸の方向に沿って縦長に形成することにより、旋回室に流入する水流を旋回室の内周壁に接近させることができるので、旋回モーメントが増加し、旋回流を十分に発達させることができる。従って、同一の投入パワーまたは同一の流量においても、８０００パスカルを超える強い旋回流が得られ、吸引力が増大する。そして、効率良く吸引力を発生させることができるので、給水ポンプを小型化でき、初期コスト、ランニングコストを低下させ、省スペースも実現できる。
【００２１】
また、前記旋回室は、略円筒状の周壁を有し、前記入水部から前記略円筒状の前記周壁の接線方向に水が入水されるものとすれば、旋回室の周壁に沿った旋回流を効率よく形成することができ、同一の投入パワーまたは同一の流量においても、８０００パスカルを超える強い旋回流が得られ、吸引力が増大する。
【発明の効果】
【００２２】
以上詳述したように、本発明に係る吸引ノズル及び人体引き締め装置によれば、８０００パスカルを超える吸引圧力を発生させることにより、被処理部位を１０ｍｍ以上変位させ、皮下脂肪やセルライトなどを効果的に伸張させて溶解、改質させることができる。その結果として、従来は得られなかった顕著な引き締め効果が得られる。
【発明を実施するための最良の形態】
【００２３】
以下、図面を参照しつつ本発明の実施の形態について説明する。  
図１は、本発明の実施の形態にかかる人体引き締め装置の全体構成を表す概念図である。すなわち、本実施形態の人体引き締め装置は、吸引ノズル１と、送水手段５０と、これらをつなぐ導水路３０と、を有する。送水手段５０は、後に具体例を挙げて説明するように、例えば、浴槽内の水（または湯）を水源とする送水ポンプや、水道を供給源とする給水部、あるいはガス湯沸かし器や電気温水器などを介した給湯設備などである。導水路３０は、送水手段５０から供給される水（または湯）を吸引ノズル１に導く役割を有する。導水路３０は、典型的には可撓性ホースであり、使用者が吸引ノズル１を人体の各所の被処理部位に自在にあてがうことができるような柔軟性を有するものであることが望ましい。
【００２４】
吸引ノズル１は、導水路３０を介して供給された水（または湯）の旋回流を形成し、その負圧領域を人体の被処理部位に作用させることができる構造を有する。
【００２５】
図２〜図４は、本発明の実施の形態にかかる吸引ノズル１を表す模式図である。すなわち、図２は、吸引ノズル１の正面図であり、図３は、図２のＡ−Ａ線断面図、図４は、図３のＢ−Ｂ線断面図である。  
本実施形態の吸引ノズル１は、断面が円型である旋回室８と旋回室８の周壁の接線方向に水を導入する入水部６とを有する旋回部２と、入水部６へ連通するよう開口された導入路５を内部に有する接続部４と、吐水口７を有し旋回室８から吐水口７へと断面積が滑らかに変化するよう設けられた絞り部９を有する吐水部３と、を有する。入水部６から導入された水は、旋回室８の周壁に沿って旋回流ＣＦを形成する。  
旋回流ＣＦを効率的に形成するためには、入水部６は旋回室の周壁８Ｗの接線方向に開口していることが望ましい。ただし、入水部６が、周壁８Ｗに対して正確に接線方向に開口しておらず、その開口方向あるいは開口位置に接線方向からの「ずれ」があるような場合でも、旋回流が形成されればよい。
【００２６】
ここで、「入水部６」とは、旋回室８へ導入される水流の導入方向を実質的に決定する入水路６Ａと、その入水路６Ａの旋回室８における開口端である入水口６Ｂと、を含む。例えば、図２乃至図４に例示した吸引ノズル１の場合には、旋回室８へ導入される水流の導入方向は、矢印Ｓの方向である。従って、入水路６Ａは、矢印Ｓの方向に設けられた水路に対応する。また、入水口６Ｂは、この水路と旋回室８との境界に対応する。
【００２７】
接続部４は、例えば一般のシャワーヘッドと交換可能なようにネジ等を設けておけば、シャワーホースに連結することができ、水道直結型として使用することができる。すなわち、図１の構成に対応させて説明すると、水道栓への接続部を送水手段５０、シャワーホースを導水路３０として、本発明の人体引き締め装置を構成することができる。また、例えばブロー浴器の吐水口に接続可能にネジ等を設けておけば、浴槽水循環型として使用することができる。この場合には、ブロー浴器が送水手段５０として作用する。
【００２８】
以下、図３及び図４を参照しつつ、吸引ノズル１の動作について説明する。  
送水手段５０から送られた水は、接続部４内の導入路５を通り、旋回部２内の入水部６から旋回室８へと導入される。この際に、入水部６は旋回室８の接線方向に開口されているので、旋回室８内に導入された水は、旋回流ＣＦを形成する。この旋回流ＣＦは、絞り部９内で徐々に流速を速めながら吐水口７に達し、吐水口７から円錐状の旋回吐水（図中Ａ）となって吐水される。この時、旋回流ＣＦがもつ遠心力によって、旋回室８の中心部に負圧部が生じるため、吐水口７の中心軸に沿って吸引ノズル１の外から旋回室８の中へ引き込もうとする力Ｂ（以下、「吸引力」と呼ぶ。）が生じる。
【００２９】
一方、旋回吐水Ａは、吐水口７の先端と人体の被処理部位１０との間には連続的な水膜を形成する。従って、吐水口７の近傍に被処理部位１０を近づけると、旋回吐水Ａによってドーナツ状に押され、かつその中心部は吸引力Ｂによって引っ張られる。つまり人体１０は周辺における押圧力とその中央における吸引力とを同時に受ける。またさらに、旋回流ＣＦの旋回成分により、被処理部位１０に対して「ねじり」を含めた振動が与えられる。これにより、被処理部位１０は立体的に変形し、且つ振動による「揉みほぐし」の作用を受ける。
【００３０】
そして、本発明者の独自の測定と検討の結果、被処理部位１０に作用させる吸引圧力を８０００パスカル（Ｐａ）以上とすると、人体の引き締め効果が顕著に得られることが判明した。  
図５は、本発明者が実施した吸引圧力の測定の方法を表す模式図である。送水手段５０から吸引ノズル１に送水し、吸引ノズル１の先端から７ｍｍの距離において測定した。具体的にはガイド部がない場合は図５のように吐水口７から７ｍｍの距離に、小穴３００Ｈが設けられた受圧板３００を配置し、その小穴３００Ｈにおける吸引圧力をマノメータ３２０により測定した。なお、吐水口７の中心同軸上に小穴３００Ｈが配置されるように受圧板の位置を調整した。なお、ガイド部がある場合はガイド部先端から７ｍｍの距離をおいて測定した。
【００３１】
図６は、このようにして測定された吸引圧力と人体引き締め効果との相関を表すグラフ図である。  
すなわち、同図の横軸は、吸引圧力を表し、縦軸は人体引き締め効果を表す。
２０歳代から３０歳代までの女性を被験者とし、片側大腿部に本発明の装置による吸引刺激を施した。具体的には、吸引圧を６０００、８０００、２００００、４５０００、５００００パスカルの５水準に設定し、各水準につき３名にて、頻度は週に３回、期間は４週間にわたって片側大腿部に吸引作用を施した。人体の引き締め効果は皮下脂肪厚を指標とし、ウエダアヴァンセ株式会社製超音波皮下脂肪計（型番ＥＵ−２００２）を用い、吸引刺激前後の大腿部脂肪厚の変化を測定した。吸引ノズルは、吐水口径２５φｍｍで、ガイド部がないものを用いた。
【００３２】
図６から、吸引圧力が６０００パスカルでは引き締め効果は殆ど得られていないが、吸引圧力が８０００パスカルを超えると引き締め効果が現れることが分かる。そして、吸引圧力をさらに増加させると、引き締め効果も維持される。ただし、吸引圧力が概ね４５０００パスカルを超えると、引締め効果が低減した。吸引圧力が４５０００パスカルを超えると、多くの被験者が痛感を感じた結果、皮膚や皮下脂肪に張り巡らされた末梢血管が収縮し血液やリンパの循環が阻害されるため効果が低減すると推測される。一方、図示しないが吸引刺激を施していない片側大腿部では、刺激前に比べて脂肪厚の変化は見られなかった。
【００３３】
従って、吸引圧力を８０００パスカル乃至４５０００パスカルの範囲内とすることにより、使用感を損うことなく顕著な人体引き締め効果が得られる。  
このように、８０００パスカルよりも高い吸引圧力により引き締め効果が顕著となる理由は、皮下脂肪に与える影響が顕著となるからであると考えられる。すなわち、図３に関して前述したように、吸引ノズル１の吐水口７の近傍においては、被処理部１０は周辺における押圧力とその中央における吸引力とを同時に受ける。またさらに、旋回流ＣＦの旋回成分により、被処理部位１０に対して「ねじり」を含めた振動が与えられる。これにより、被処理部位１０は立体的に変形し、且つ振動による「揉みほぐし」の作用を受ける。このとき、吸引圧力が８０００パスカルを超えていると、被処理部位１０の変位が十分に大きくなるために、皮下脂肪が強制的に伸張させられ、且つ旋回流ＣＦの振動を伴う刺激の相乗効果により、皮下脂肪が伸張した状態で揺さぶれることとなる。このために、皮下組織の血液とリンパの循環を促進させるとともに、皮下脂肪やセルライトなどを効果的に伸張させて新陳代謝を促進することができる。その結果として、被処理部位がスリム化するものと考えられる。
【００３４】
図７は、本発明の吸引ノズル及び人体引き締め装置により得られる生体効果を説明するための模式図である。
【００３５】
まず、皮膚に与える効果としては、吸引と押圧という双方向の刺激を皮膚に与えることにより、線維芽細胞を活性化させ、エラスチンやコラーゲンの生成を促進できる。その結果として、肌の「はり」や「つや」を増進させることができる。また、毛細管の血流量を増加させ、新陳代謝を促進できる。その結果として、皮膚のターンオーバーを促進できる。さらにまた、皮脂や外的な汚れを除去することにより、肌の「きめ」が整う効果も得られる。
【００３６】
また一方、皮下脂肪に与える効果としては、吸引圧によって皮下組織をストレッチすることで、皮下脂肪の間の圧迫されたリンパ管や毛細血管を開放する作用が得られ、血流やリンパの循環不良を改善し、皮下脂肪に滞ったリンパや老廃物を排出することができる。さらに、老廃物と脂肪の塊である「セルライト」を揉みほぐすことにより、老廃物の排出を促進し、セルライトを正常な脂肪に改善することができる。その結果として、人体の「引き締め効果」が得られる。
【００３７】
また、筋肉が緊張しリンパ管を圧迫するような過度の刺激を与えずに、滑らかで快適な吸引押圧トリートメントを施すことができるため、リンパ管壁の開放を促進できる。さらに、リンパの流れに沿って吸引押圧トリートメントを施すことによって、リンパの流れを促進することができる。その結果として、皮下組織や筋組織に滞った体液をリンパ管に戻し、リンパ管内のリンパ循環も促進できるため、「むくみ」を解消できる。
【００３８】
以上、代表的な効果の一部を列挙したように、本発明によれば、８０００パスカル以上の負圧を作用させて強い吸引押圧トリートメントを実施することにより、顕著な人体引き締め効果が得られる。
【００３９】
本発明者は、吸引による人体引き締め効果についてさらに定量的な知見を得るために、いくつかの構造の吸引ノズルについて、吸引圧力と人体の変位量との関係について調べた。
【００４０】
図８及び図９は、本発明者が測定の対象とした第２の吸引ノズルの模式図であり、図８は斜視図、図９はその断面図である。これらの図については、図１乃至図５に関して前述したものと同様の要素には、同一の符号を付して詳細な説明は省略する。
【００４１】
この吸引ノズルにおいては、吐水口７の前面に、吐水口の内径Ｄ１よりも大きく、かつ、吸引ノズルの外径Ｄ２よりも小さな範囲の位置に、ガイド部２２が突出して形成されている。
【００４２】
なお、図示したガイド部２２の形状は円筒体状であるが、それ以外にも、例えば、楕円筒体や多角形の筒状体、もしくは不定形の筒状体でもよい。
【００４３】
図１０は、この吸引ノズルの動作状態を表す模式図である。入水部６から導入された水は、旋回室８で旋回流を形成し、この旋回流は、絞り部９で徐々に流速を速めながら吐水口７に達し、吐水口７から円錐状の旋回吐水（図中Ａ）となってガイド部２２の内周側に衝突し、勢いの弱い水がガイド部内周から吐水される。旋回流がもつ遠心力によって、中心部に負圧部が生じるため、吐水口７の中心軸に沿って吸引力Ｂが生じる。ガイド部２２を人体の被処理部位に近づけてガイド部２２の先端に接触させると、皮膚が吐水による吸引力により図中Ｃのように吐水口７に向かって引っ張られ吸引トリートメントを得ることができる。この吸引トリートメントは、ガイド部２２の先端の接触による皮膚への押し圧と吐水口近傍の吸引力の関係で左右され、ガイド部２２の突出量に応じて、被処理部位の変位量を増加させることが可能である。また、吐水された水がガイド部２２の先端部と皮膚の間に介する（図中Ｄ）ことによって移動時の摩擦抵抗が抑えられるため、スムーズに吸引ノズルを移動させることができる。
【００４４】
図１１は、図２乃至図４に関して前述したようにガイド部２２が設けられていない場合の吸引ノズルの吸引動作を表す模式図である。すなわち、被処理部位１０は、吐水口７の中央に形成される負圧領域に応じて吐水口７の近傍に吸引され変位が生ずる。
【００４５】
図１２は、ガイド部２２が設けられている場合の吸引動作を表す模式図である。ガイド部２２を設けることにより、被処理部位１０は、吐水口７から離間した状態で吐水口７近傍へと吸引されるので、結果として、被処理部位１０の吸引による変位量（総吸引距離）を増大させることが可能となる。また、引き締め効果を得るためには、旋回流の振動による「もみほぐし効果」を与えることが必要であり、吐水口７の近傍に吸引されることが重要と推測される。
【００４６】
図１３及び図１４は、これら２種類の吸引ノズルについて、吸引圧力と吸引距離（総吸引距離）との関係を調べた結果をまとめたグラフ図である。すなわち、図１３は、ガイド部２２が設けられていない場合、図１４は、ガイド部２２が設けられている場合の測定結果を表す。これらの測定は、成人男子の腹の部分において実施した。またここで、吸引圧力は、図５に関して前述した方法により測定した。
【００４７】
図１３から、ガイド部２２が設けられていない場合は、吐水口７の口径が２５ｍｍφ以上の吸引ノズルで、吸引圧力を８０００パスカル以上とすると、約１０ｍｍ以上の変位（吸引距離）が得られていることが分かる。吐水口７の口径が１５ｍｍφの場合には、吐水口が小さいために、被処理部位が吐水口の中にまで十分に引き込まれず、変位（吸引距離）が小さい。
【００４８】
一方、図１４に表したように、吐水口７からの突出量が１５ｍｍ、口径６０ｍｍφのガイド部２２が設けられている場合には、吐水口の口径が１５、２５、４０ｍｍφのいずれの吸引ノズルにおいても、１５ｍｍ乃至３５ｍｍという大きな変位（総吸引距離）が得られた。ただし、ガイド部２２の吐水口７からの突出量が１５ｍｍであるので、吐水口７の中まで引き込まれている部分の変位量は、総変位量から１５ｍｍを引くとガイド部２２が設けていない場合とほぼ同様の値となる。
【００４９】
図６に関して前述したように、体型引締め効果を得るためには、吸引圧力を８０００パスカル以上とすることが望ましい。この吸引圧力においては、図１３の結果から吐水口径が２５φｍｍ以上の場合に、皮膚は吐水口７から旋回室８の内部へ１０ｍｍ程度吸引されている。皮下脂肪の多くは１０〜２０ｍｍ程度の厚みで、１．５ｍｍから４ｍｍ程度の皮膚下に存在していることから、吐水口７から旋回室８の内部へ１０ｍｍ程度吸引されたことによって、効果的に皮下脂肪を伸長させ引締め効果が得られたと推測される。
【００５０】
図１５及び図１６は、吐水口径に対する吸引距離（総吸引距離）の関係を表すグラフ図である。ここで、図１５は、ガイド部２２が設けられていない場合、図１６は、吐水口７からの突出量が１５ｍｍのガイド部２２が設けられた場合を表す。吸引圧力が５０００、８０００、１００００、４００００パスカルの場合のそれぞれについて、吐水口の口径に対する吸引距離（総吸引距離）をプロットした。
【００５１】
これらの結果から、吐水口７から旋回室８の内部に被処理部位を１０ｍｍ以上吸引するためには、吸引圧力を８０００パスカル以上にしつつ、吐水口７の内径を２５ｍｍφ以上とすることが必要であることが分かる。
【００５２】
なお、図１３乃至図１６に例示したような被処理部位の変位量は、適用する部位によって異なることが考えられる。つまり、皮膚や皮下組織の柔らかさなどによって、同一の吸引圧力でも変位量が異なることが考えられる。しかし、本発明者の実験の結果、特に引き締め効果を与える必要がある人体の腹部や太ももなどの部位については、それほど差異が生じないことが判明した。
【００５３】
また、図１３乃至図１６の結果から、吸引圧力が同じであれば、吐水口７の口径が大きいほど、大きな吸引距離が得られることが分かる。しかし、吐水口７の口径が大きくなると、吸引時に皮膚に痛感を生じ易い。
【００５４】
図１７は、吐水口の口径と吸引圧力を変化させた時に、被処理部位に与える痛感の有無をまとめたグラフである。すなわち、同図において、丸印は、ほぼ全ての被験者が痛感を全く感じないことを表し、三角印は、一部の被験者が痛感を感じたことを表し、バツ印は、ほぼ全ての被験者が痛感を感じたことを表す。
【００５５】
図１７から、吐水口の口径が２５乃至５０ｍｍφの範囲においては、吸引圧力が４５０００パスカルまでの範囲においては、痛感が殆ど生じないことが分かる。但し、吐水口の口径がこの範囲においても、吸引圧力が５００００パスカルに上昇すると、ほぼ全ての被験者が痛感を感じる。従って、吸引圧力の上限は、４５０００パスカルとすることが望ましい。
【００５６】
これに対して、吐水口の口径が６０ｍｍφの場合には、吸引圧力が２００００パスカル以上において、ほぼ全ての被験者が痛感を感じる。ここで痛感を生じるポイントは、吸引された被処理部位の頂点ではなく、吸引され吐水口の中に引き込まれた部分の根本の部分であると考えられる。皮膚が吸引される部分の周辺に吸引圧力と吐水圧力との境界部分があり、吸引力と吐水力とによって皮膚が引っ張られる。吐水口の口径が大きくなると、このように引っ張られる面積が大きくなるために、痛感が生じやすくなる。
【００５７】
また、痛覚が刺激されると、皮膚や皮下脂肪に張り巡らされた末梢血管が収縮し血液やリンパの循環が阻害されるため、効果が低減すると推測される。
【００５８】
以上、図１乃至図１７を参照しつつ本発明の人体引き締め装置において用いる吸引ノズル及びその効果について説明した。本発明者が実施した試作評価実験の結果、吸引ノズルの構造パラメータについては、以下の範囲内とすることが望ましいことが分かった。
典型値          望ましい範囲
旋回室８の内径Ｄ３    ３５ｍｍφ      ２５〜８０ｍｍφ
吐水口７の口径Ｄ１    ３５ｍｍφ      ２５〜５０ｍｍφ
Ｄ１／Ｄ３                １          ０．３４〜１
入水部６の開口        ８９ｍｍ２       ４０〜１５０ｍｍ２
旋回室８の長さ        ３８ｍｍ        ２０〜６０ｍｍ
ガイド部２２の内径    ５５ｍｍφ      ３５〜１００ｍｍφ
ガイド部２２の高さ    １５ｍｍ        ３〜３５ｍｍ
旋回室８の内径は、吐水口７の口径を下回らないことが必要である。これは旋回流を十分に発達させるためである。従って、吐水口７の口径の下限である２５ｍｍφが旋回室８の内径の下限となる。また、旋回室８の内径が大きくなりすぎると、吸引ノズルの全体のサイズが大きくなり、使用性が低下する。この観点から、旋回室８の内径は、８０ｍｍφ以下とすることが望ましい。
【００５９】
また、旋回室８の内径Ｄ３に対する吐水口７の口径Ｄ１の比率（Ｄ１／Ｄ３）が小さくなると、旋回室８における吐水流の圧力損失が大きくなり、強い吸引力が得られにくい。このため、常識的な送水能力を有するポンプを使う場合、比率（Ｄ１／Ｄ３）の下限は、０．３４とすることが望ましい。また、旋回流を吐水口付近に十分に形成するためには、比率（Ｄ１／Ｄ３）を１に近づけることが望ましい。
【００６０】
次に、吐水口７の口径については、図１３乃至図１６に関して前述したように、２５ｍｍφを下回ると、被処理部位がその内部に十分に引き込まれにくくなる。従って、２５ｍｍφ以上とすることが望ましい。また、図１５に関して前述したように、吐水口７の口径が５０ｍｍφを超えると、痛感が生ずる場合がある。そこで、吐水口７の口径は、５０ｍｍφ以下とすることが望ましい。
【００６１】
また、吐水口７の口径を、３０ｍｍφ以上４５ｍｍφ以下とすることがさらに望ましい。吐水口径を３０ｍｍφ以上４５ｍｍφ以下とすることによって、下肢や腹部、さらには腕部などの皮下脂肪が多い部位に、作用面積の過不足なく快適に吸引トリートメントすることが可能となる。
【００６２】
また、入水部６の開口が小さくなると、流量が低下する。実用的な送水手段を用いた場合には、その下限は４０ｍｍ２とすることが望ましい。一方、入水部６の開口が大きくなると、流速が低下し、旋回流が十分に発達しなくなる。この観点から、その上限は、１５０ｍｍ２とすることが望ましい。
【００６３】
一方、旋回室８の長さ、すなわち、底面から吐水口７までの距離については、旋回流を十分に発達させるためには、２０ｍｍを下限とすることが望ましい。また、吸引ノズル全体のサイズを考慮すると、６０ｍｍを上限とすることが望ましい。
【００６４】
また、ガイド部２２の内径については、吐水口７の口径よりも大きく、旋回流の吐水を被処理部に導くためには、３５ｍｍφを下限することが望ましく、また、人体の起伏に対して対応させるためには、１００ｍｍφを上限とすることが望ましい。
【００６５】
また、ガイド部２２の高さについては、吐水口７と被処理部位との間隔が短くなりすぎると吐水流の逃げ道が少なくなり、吸引力が低下するために、３ｍｍを下限とすることが望ましい。一方、吸引ノズル全体のサイズを考慮すると、３５ｍｍを上限とすることが望ましい。
【００６６】
次に、吸引ノズルの旋回室８に水を導入する入水部６の形状について説明する。
【００６７】
本発明においては、吐水口７の前面で８０００パスカル以上の吸引圧力を生じさせることにより、顕著な人体引き締め効果が得られる。このためには、旋回流を効果的に形成し、強い吸引力を発生させることが重要である。その手段のひとつとして、入水部６の開口を扁平状に形成する方法がある。
【００６８】
図１８は、この方法により形成された吸引ノズルを表す模式図である。
【００６９】
すなわち、同図（ａ）は、図４に表したものと同様の断面図であり、同図（ｂ）は、そのＣ−Ｃ線断面図である。  
図１８に表したように、この吸引ノズルの場合、旋回室８に対する入水方向（矢印Ｓ）に対向する方向から見たときに、旋回流ＣＦの旋回軸Ｚに対して垂直な方向の幅Ｗ２よりも旋回軸Ｚに対して平行な方向の幅Ｗ１の方が大なる形態に形成されている。換言すると、旋回室８への入水方向（矢印Ｓ）に対して垂直且つ旋回流ＣＦの旋回軸Ｚに対して垂直な方向に沿った入水部６の幅Ｗ２よりも、旋回室８に対する入水方向に対して垂直且つ旋回流の旋回軸Ｚに対して平行な方向に沿った入水部６の幅Ｗ１の方が大となるように形成されている。このように入水部６を形成することにより、旋回室８において旋回流を効率的に発達させることができる。その結果として、少ない流量で８０００パスカルを超える大きな吸引圧力が得られる。
【００７０】
なおここで、入水部６の全体に亘って、上述の幅Ｗ１とＷ２との関係が維持される必要はなく、その一部のみにおいて、上述の幅Ｗ１とＷ２との関係が成立すればよい。例えば、旋回流への影響度を鑑みると、入水口６Ｂあるいはその近傍において上述の幅Ｗ１とＷ２との関係が成立することが望ましく、圧力損失を低減するために、入水路６Ａは導入路５から入水口６Ｂへと滑らかに連通していることが望ましい。
【００７１】
図１９は、入水部６の開口形状を比較して表した模式図である。すなわち、同図は、図１８（ｂ）と同様に、入水部６の入水方向に対向する方向から眺めた模式図である。図１９（ａ）は、本実施例の入水部を表す。また、同図（ｂ）は、幅Ｗ１とＷ２とがほぼ同一の場合を表し、同図（ｃ）は、幅Ｗ２のほうがＷ１よりも大きい扁平形状の入水部を表す。
【００７２】
本発明者は、これらのうち、図１９（ａ）および（ｃ）に表した入水部６を有する吸引ノズルをそれぞれ試作し、吸引圧力を比較した。測定の方法は、図５に関して前述したものと同様である。また、測定した吸引ノズルの構造パラメータは以下の通りである。
本実施例      比較例
入水部の幅Ｗ１（ｍｍ）               １３．５        ７．５
入水部の幅Ｗ２（ｍｍ）                 ７．５      １３．５
入水部の流路断面積（ｍｍ２）              ８９        ８９
旋回室の内径Ｄ３（ｍｍ）                  ４５        ４５
旋回室から吐水口までの距離Ｌ１（ｍｍ）    ４５        ４５
絞り部の長さＬ２（ｍｍ）                  ２５        ２５
吐水口の直径（ｍｍφ）                    ２５        ２５
図２０は、これらノズルについて流量と吸引圧力との関係を表すグラフ図である。すなわち、同図の横軸は吸引ノズルに供給される水の流量を表し、縦軸は受圧板３００の小穴Ｈに作用した吸引圧力を表す。  
また、図２１は、これらノズルについて流体エネルギと吸引圧力との関係を表すグラフ図である。すなわち、同図の横軸は吸引ノズルに供給される水の流体エネルギを表し、縦軸は受圧板３００の小穴Ｈに作用した吸引圧力を表す。
【００７３】
図２０及び図２１から、同一の流量または流体エネルギにおいては、本実施例の吸引ノズルのほうが比較例よりも強い吸引力が得られることが分かる。例えば、図２０から、水の流量が毎分２０リッターの場合、本実施例のノズルにおいてはほぼ１００００パスカルの吸引圧力が得られているが、比較例のノズルでは、およそ６０００パスカルの吸引圧力が得られているに過ぎない。この場合、比較例のノズルにおいて１００００パスカルの吸引圧力を得るためには、およそ毎分２５リッターの流量が必要とされる。
【００７４】
また、図２１から、流体エネルギーが６０ワットにおいて、本実施例のノズルにおいては、ほぼ３００００パスカルの吸引圧力が得られているのに対して、比較例のノズルにおいては、およそ２３０００パスカルが得られているに過ぎない。
【００７５】
また、図２０及び図２１から、このような本実施例と比較例の差異は、吸引圧力が高くなるほど顕著になることが分かる。
【００７６】
これは、比較例と比べた場合、本実施例のノズルのほうが、入水部６の開口中心が旋回軸Ｚから遠くなるので、水流に与えるモーメントが増加し、旋回流ＣＦを十分に発達させやすいからであると考えられる。つまり、本実施例によれば、効率良く旋回流を発達させて８０００パスカルを超える強い吸引圧力を発生させることができる。このため、少ない送水量あるいは小さな送水ポンプでも強い吸引力が得られ、人体引き締め効果が確実に得られると同時に、ランニングコストや設置スペースなどの削減も可能となる。
【００７７】
次に、本発明の人体引き締め装置の具体例について説明する。  
すなわち、図１乃至図２１に関して前述した本発明の吸引ノズルを、送水手段と組み合わせることにより、人体引き締めのための吸引トリートメントが実施可能な人体引き締め装置が実現する。  
まず、本発明の人体引き締め装置の第１の実施例として、椅子型の人体引き締め装置について説明する。  
図２２及び図２３は、本発明の第１の実施例の人体引き締め装置を、斜め正面側、及び斜め後方側からそれぞれ眺めた模式図である。  
また、図２４は、この人体引き締め装置の要部構成を表すブロック図である。
【００７８】
すなわち、本実施例の人体引き締め装置をその外部から眺めると、筺体７０と、その正面から伸びる可撓性ホース３０と、その先端に設けられた吸引ノズル１と、を有する。筺体７０には、操作スイッチ７２、取水口７６、持ち穴７８、電源コード８０などが適宜設けられている。筺体７０の内部には、送水手段５０が収容されている。送水手段５０は、例えば耐水処理が施された電動式の送水ポンプを内蔵し、取水口７６から取り入れた水（お湯）を可撓性ホース３０を介して吸引ノズル１に送出する。送水ポンプは、例えば、筺体７０の外部から交流または直流の電力の供給を受けるようにしてもよく、または、筺体７０の中に充電池などの電源を内蔵して電力を供給してもよい。いずれの場合にも、浴槽内の湯に沈めて安全に使用できるよう、所定の耐水処理が適宜実施されている。
【００７９】
吸引ノズル１は、図２２に例示した如く、シャワーヘッドに類似した外観を有する。同図に表した吸引ノズル１Ａは、その先端付近を「わしづかみ」にして用いるのに適した形状を有する。また吸引ノズル１Ｂは、通常のシャワーヘッドの如くその根本部分を保持して用いるのに適した形状を有する。  
これら吸引ノズル１（１Ａ、１Ｂ）は、図１乃至図２０に関して前述したように、８０００パスカルよりも高い吸引圧力を生ずるように形成されている。使用者は、この吸引ノズル１により形成される強い負圧効果を利用して、被処理部位に対して効果的な吸引トリートメントを実施し引き締め効果を得ることができる。
【００８０】
図２５は、本実施例の人体引き締め装置の使用状態を説明するための模式図である。すなわち、使用者２００は、湯１１０をはった浴槽１００の中に本発明の人体引き締め装置を設置し、筺体７０の上に腰掛けた状態で吸引ノズル１を操作することができる。この際に、図３に関して前述したように旋回吐水Ａにより形成される水膜により吐水口７の周囲が覆われるため、人体の被処理部位１０の表面は常に均質な水膜に保護され、人体は吸引ノズルから過度の摩擦抵抗を受けない。このため、不快な刺激がなく、使用感に優れる。また、本実施形態の吸引ノズル１を浴槽内の水（お湯）の中に浸した状態で用いると、吸引力を低下させる空気層（空洞）が旋回室内に形成されることを抑制でき、より効果的である。また、浴槽１００内のお湯１１０を循環使用する点で、節水効果も高い。
【００８１】
本実施例の人体引き締め装置によれば、８０００パスカルよりも高い吸引圧力を発生させ、人体の被処理部位を１０ｍｍ以上変位させることにより、顕著な引き締め効果が得られる。また、吸引ノズル１が筺体７０に対して可撓性ホース３０により接続されているので、吸引ノズル１を使用者の身体のあらゆる部分の被処理部位に対して柔軟且つ自在にあてることができる。しかも、トリートメントしづらいヒップや太ももの裏側が、腰掛けている状態により浴槽底面から浮いているので、ノズルをあててトリートメントするスペースが得られ、確実且つ容易にトリートメントできる。
【００８２】
また、本発明によれば、使用者２００は、コンパクトな筺体７０の上に腰掛けた状態で吸引ノズル１を操作できる。その結果、使用者２００は、常にリラックスした状態で吸引トリートメントすることができる。またさらに、上半身、例えば脇の下から二の腕を吸引トリートメントするような場合でも、吸引ノズル１を浴槽の湯１１０の中に浸した状態で操作することが可能である。しかも、下半身、例えば、ヒップや太ももの裏側まで、まんべんなく吸引トリートメントすることができる。従って、これらの部位につきやすい「セルライト（老廃物と脂肪の塊）」を揉みほぐすことにより、老廃物の排出を促進し、セルライトを正常な脂肪に改善することができる。その結果として、顕著な引き締め効果が得られる。
【００８３】
次に、本発明の人体引き締め装置の第２の実施例として、浴槽型の人体引き締め装置について説明する。  
図２６は、本発明の人体引き締め装置の第２の実施例を表す模式図である。すなわち、同図は、浴槽１００と組み合わされた人体引き締め装置を表す。  
本実施例の場合、浴槽１００の中にノズル収容部１２０が設けられ、吸引ノズル１は、このノズル収容部１２０に収容可能とされている。そして、送水手段５０は、水配管６０を介して浴槽１００の中の水（お湯）を取水し、可撓性ホース３０を介して吸引ノズル１に送出する。
【００８４】
図２７は、本実施例の人体引き締め装置に設けられる吸引ノズル１およびノズル収容部１２０周辺の模式図である。すなわち、同図は、ノズル１がノズル収容部１２０内に収納されている状態を示している。
【００８５】
ノズル収容部１２０は、フランジ２０７と収納部２０８と水接続管２６とを有している。ノズル収容部１２０は、浴槽壁２１に開けられた浴槽壁穴２０９の浴槽内壁側から差し込まれ、フランジ２０７と留め具３５でもって浴槽壁２１を挟み込むように留められている。フランジ２０７と浴槽壁２１の間にはOリング等のシール材２３が配設され、浴槽内部と外部をシールしている。  
収納部２０８内には、吸引ノズル１と水伸縮管（第１の配管）３０が収納されている。
水接続管２６の両端は外側水接続部２６１と内側水接続部２６２で構成されており、外側水接続部２６１には水配管６０が接続され、内側水接続部２６２には水伸縮管３０が接続されている。  
吸引ノズル１は、略円筒形の旋回室２８を有する。旋回室２８には、旋回室円筒端部中央に設けられた吐水口２９と、旋回室円筒壁面に接するように設けられた入水口２０１とが設けられている。入水口２０１は水流路２０３に連通し、水伸縮管３０を介して水（湯）が供給される。
【００８６】
このように構成したことにより、水経路は、浴槽内→吸込部→水配管６０（ポンプ５０を含む）→ノズル収容部１２０（外側水接続部２６１→水接続管２６→内側水接続部２６２）→水伸縮管３０→吸引ノズル１（水流路２０３→入水口２０１→旋回室２８→吐水口２９）→浴槽内、という循環経路を形成する。
【００８７】
吸引ノズル１がノズル収容部１２０内に収納されている収納時は、浴槽内の入浴スペースを害することがなく、入浴者は入浴スペースを十分に活用でき、快適に入浴を行える。
【００８８】
水伸縮管３０は、後に詳述するように、例えば蛇腹管やコイル管のような、伸縮自在な部材で形成されている。吸引ノズル１がノズル収容部１２０に収納されている場合は縮んでおり、収納部２０８に収納されている。吸引ノズル１をノズル収容部１２０から取り出す場合には、水伸縮管３０は延伸し、浴槽内に飛び出す形となる。
【００８９】
図２８は、吸引ノズルにおける旋回流の吸引作用を説明するための模式図である。すなわち、旋回室２８内で発生した旋回流ＣＦは、遠心力により旋回流の外周部において圧力を上昇させ、また中心部では圧力を低下させて負圧部を形成する。その結果として、図６に表したように、吐水口２９の中央付近において、強い吸引力ＮＰが生ずる。また一方、吐水口２９から吐出する旋回流ＣＦは、旋回成分をもった円錐形の吐水となる。つまり、吐水口２９の周囲を取り囲む吐水前面２９Ｓには、吐水された水膜が形成される。この時、旋回室２８に空気などが混入しなければ、吐水前面２９Ｓの表面に形成される水膜は、気泡を含まない均質な水膜となる。その結果として、吐水口２９の正面においては、負圧ＮＰが生じ、一方、その周囲の吐水前面２９Ｓの正面においては、吐水された水膜により押圧（正圧）ＰＰが生ずる。
【００９０】
図２９は、本実施形態の吸引ノズルにより人体を吸引する状態を表す模式図である。  
前述の如く、本実施形態によれば、吐水口２９の正面においては、負圧ＮＰによる強い吸引力が生じ、一方、その周囲においては、吐水の水膜による押圧ＰＰが生ずる。その結果として、人体１０は、中央が吸引部で、周囲が押圧部という、ドーナツ状の局所的な押圧吸引双方の吸引トリートメントを受けることができる。さらに本実施形態においては、旋回流により生ずる負圧を吐水口にのみ有効に作用させることができるので、吸引力を高めることができ、同時に、吐水口２９から吐出する旋回流に気泡が含有されないため、吐水前面２９Ｓの表面には、薄くて均質な水膜が形成される。その結果として、人体１０を吐水口２９に対して接近させた状態で圧力のバランスを得ることができ、強い吸引トリートメントを受けることができる。
【００９１】
本実施例においては、図２６（ａ）に表したように、ノズル収容部１２０に吸引ノズル１を収納した状態で、使用者は、浴槽１００内に入浴し吸引ノズル１に被処理部位をあてがうことにより吸引押圧トリートメントを受けることができる。この時、吸引ノズル１は、水没していてもよく、お湯よりも上に露出していてもよい。但し、図３に関して前述したように、吸引ノズル１を水没させたほうがより強い吸引トリートメントを受けることができる。  
また一方、図２６（ｂ）に表したように、吸引ノズル１をノズル収容部１２０から取り外して用いることができる。本実施例においては、吸引ノズル１は、可撓性ホース３０により接続されているので、使用者は、吸引ノズル１を自由な位置に移動させ、被処理部位にあてて使用することができる。
【００９２】
なお、本実施例においても、送水手段５０により浴槽１００内のお湯（水）を吸引ノズル１に供給する。つまり、浴槽１００内のお湯を循環使用する点で、節水効果が高い。そして、８０００パスカルを超える吸引圧力を発生させることにより、顕著な人体引き締め効果が得られる。
【００９３】
図３０は、本発明の人体引き締め装置の第３の実施例を表す模式図である。同図については、図１乃至図２９に関して前述したものと同様の要素には同一の符号を付して詳細な説明は省略する。  
本実施例においては、浴槽１００のお湯を循環させる送水手段の代わりに、お湯（または水）の供給部４００が設けられている。供給部４００としては、例えば、浴槽１００にお湯を供給するための給湯器を兼用することができる。  
本実施例の場合には、供給部４００を設けることより、浴槽１００内にお湯がない状態においても、本発明の吸引ノズル１を用いた吸引トリートメントを受けることができる。もちろん、浴槽１００内にお湯がはられた状態においても、吸引トリートメントを同様に実施することができる。  
そして、図３０（ｂ）に表したように、可撓性ホース３０を伸ばすことにより、吸引ノズル１を取り外して所望の被処理部位に向けて使用することができる。また、本実施例においては、図２６に関して前述したような送水手段５０や循環のための水配管６０を設ける必要がないため、人体引き締め装置の構造を簡略化させ、低コストで提供することが可能である。
【００９４】
図３１は、本発明の人体引き締め装置の第４の実施例を表す模式図である。同図についても、図１乃至図３０に関して前述したものと同様の要素には同一の符号を付して詳細な説明は省略する。  
本実施例においては、ノズル収容部１２０が浴槽１００の周縁の、いわゆる「エプロン」の部分に設けられている。気泡浴を行わず、吸引押圧トリートメントを主体として実施するような場合には、吸引ノズル１を簡単に取り外し、使用者の人体の各所に容易にあてがうことができるようにすることが望ましい。ノズル収容部１２０を浴槽１００のエプロンに設置すると、吸引ノズル１を取り外すことが極めて容易となる。また、浴槽１００内に入浴した状態で、吸引ノズル１が邪魔になる心配もない。  
そして、本発明においても、可撓性ホース３０によりノズル収容部１２０と吸引ノズル１とを接続することにより、吸引ノズル１を自在に取り扱うことができる。
【００９５】
また、本実施例においても、浴槽１００内のお湯を循環使用する点で、節水効果が高く、また、図１乃至図２０または図２７乃至図２９に関して前述した本発明の吸引ノズル１を用いることにより、８０００パスカルを超える吸引圧力を発生させ、顕著な人体引き締め効果を得ることができる。
【００９６】
図３２は、本発明の人体引き締め装置の第５の実施例を表す模式図である。同図についても、図１乃至図３１に関して前述したものと同様の要素には同一の符号を付して詳細な説明は省略する。  
本実施例においても、ノズル収容部１２０が浴槽１００の周縁の「エプロン」の部分に設けられている。このため、吸引ノズル１を取り外すことが極めて容易となる。また、浴槽１００内に入浴した状態で、吸引ノズル１が邪魔になる心配もない。  
また、本実施例においても、可撓性ホース３０によりノズル収容部１２０と吸引ノズル１とを接続することにより、吸引ノズル１を自在に取り扱うことができる。さらに、送水手段５０や循環のための水配管６０を設ける必要がないため、人体引き締め装置の構造を簡略化させ、低コストで提供することが可能である。そして、図１乃至図２０または図２７乃至図２９に関して前述した本発明の吸引ノズル１を用いることにより、８０００パスカルを超える吸引圧力を発生させ顕著な人体引き締め効果を得ることができる。
【００９７】
以上具体例を参照しつつ本発明の実施の形態について説明した。しかし、本発明は、これらの具体例に限定されるものではない。  
すなわち、本発明の吸引ノズル及び人体引き締め装置を構成するいずれかの要素について当業者が設計変更を加えたものであっても、本発明の要旨を備えたものであれば、本発明の範囲に包含される。
【００９８】
例えば、吸引ノズルの外形や、吐水口とのサイズの比率、あるいは入水部の位置関係などについては、旋回流が得られ、その結果として負圧部が形成される範囲内であれば、本発明に包含される。
【図面の簡単な説明】
【００９９】
【図１】本発明の実施の形態にかかる人体引き締め装置の全体構成を表す概念図である。
【図２】本発明の実施の形態にかかる吸引ノズル１の正面図である。
【図３】図２のＡ−Ａ線断面図
【図４】図３のＢ−Ｂ線断面図である。
【図５】吸引圧力の測定の方法を表す模式図である。
【図６】吸引圧力と人体引き締め効果との相関を表すグラフ図である。
【図７】本発明の人体引き締め装置により得られる生体効果を説明するための模式図である。
【図８】本発明者が測定の対象とした第２の吸引ノズルの斜視図である。
【図９】第２の吸引ノズルの断面図である。
【図１０】第２の吸引ノズルの動作状態を表す模式図である。
【図１１】図２乃至図４に関して前述したようにガイド部２２が設けられていない場合の吸引ノズルの吸引動作を表す模式図である。
【図１２】ガイド部２２が設けられている場合の吸引動作を表す模式図である。
【図１３】ガイド部２２が設けらていない吸引ノズルについて、吸引圧力と吸引距離との関係を調べた結果をまとめたグラフ図である。
【図１４】ガイド部２２が設けられた吸引ノズルについて、吸引圧力と総吸引距離との関係を調べた結果をまとめたグラフ図である。
【図１５】ガイド部２２が設けられていない吸引ノズルについて、吐水口径に対する吸引距離の関係を表すグラフ図である。
【図１６】ガイド部２２が設けられた吸引ノズルについて、吐水口径に対する総吸引距離の関係を表すグラフ図である。
【図１７】吐水口の口径と吸引圧力を変化させた時に、被処理部位に与える痛感の有無をまとめたグラフである。
【図１８】入水部の開口に特徴を有する吸引ノズルを表す模式図である。
【図１９】入水部６の開口形状を比較して表した模式図である。
【図２０】本実施例及び比較例のノズルについて流量と吸引圧力との関係を表すグラフ図である。
【図２１】本実施例及び比較例のノズルについて流体エネルギと吸引圧力との関係を表すグラフ図である。
【図２２】本発明の第１の実施例の人体引き締め装置を斜め正面側から眺めた模式図である。
【図２３】本発明の第１の実施例の人体引き締め装置を斜め後方側から眺めた模式図である。
【図２４】第１実施例の人体引き締め装置の要部構成を表すブロック図である。
【図２５】第１実施例の人体引き締め装置の使用状態を説明するための模式図である。
【図２６】本発明の人体引き締め装置の第２の実施例を表す模式図である。
【図２７】本発明の実施例の人体引き締め装置に設けられる吸引ノズル１およびノズル収容部１２０周辺の模式図である。
【図２８】吸引ノズルにおける旋回流の吸引作用を説明するための模式図である。
【図２９】本発明の実施形態の吸引ノズルにより人体を吸引する状態を表す模式図である。
【図３０】本発明の人体引き締め装置の第３の実施例を表す模式図である。
【図３１】本発明の人体引き締め装置の第４の実施例を表す模式図である。
【図３２】本発明の人体引き締め装置の第５の実施例を表す模式図である。
【符号の説明】
【０１００】
１、１Ａ、１Ｂ 吸引ノズル
２ 旋回部
３ 吐水部
４ 接続部
５ 導入路
６、６Ａ、６Ｂ 入水部
７ 吐水口
８ 旋回室
１０ 被処理部位
２１ 浴槽壁
２２ ガイド部
２３ シール材
２６ 水接続管
２８ 旋回室
２９ 吐水口
２９Ｓ 吐水前面
３０ 導水路（可撓性ホース、水伸縮管）
３５ 留め具
５０ 送水手段
６０ 水配管
７０ 筺体
７２ 操作スイッチ
７６ 取水口
７８ 持ち穴
８０ 電源コード
１００ 浴槽
１１０ 湯
１２０ ノズル収容部
２００ 使用者
２０１ 入水口
２０３ 水流路
２０７ フランジ
２０８ 収納部
２０９ 浴槽壁穴
２６１ 外側水接続部
２６２ 内側水接続部
３００ 受圧板
４００ 供給部
【図１】
2005087425.tif 000003
【図２】
2005087425.tif 000004
【図３】
2005087425.tif 000005
【図４】
2005087425.tif 000006
【図５】
2005087425.tif 000007
【図６】
2005087425.tif 000008
【図７】
2005087425.tif 000009
【図８】
2005087425.tif 000010
【図９】
2005087425.tif 000011
【図１０】
2005087425.tif 000012
【図１１】
2005087425.tif 000013
【図１２】
2005087425.tif 000014
【図１３】
2005087425.tif 000015
【図１４】
2005087425.tif 000016
【図１５】
2005087425.tif 000017
【図１６】
2005087425.tif 000018
【図１７】
2005087425.tif 000019
【図１８】
2005087425.tif 000020
【図１９】
2005087425.tif 000021
【図２０】
2005087425.tif 000022
【図２１】
2005087425.tif 000023
【図２２】
2005087425.tif 000024
【図２３】
2005087425.tif 000025
【図２４】
2005087425.tif 000026
【図２５】
2005087425.tif 000027
【図２６】
2005087425.tif 000028
【図２７】
2005087425.tif 000029
【図２８】
2005087425.tif 000030
【図２９】
2005087425.tif 000031
【図３０】
2005087425.tif 000032
【図３１】
2005087425.tif 000033
【図３２】
2005087425.tif 000034